(57)【要約】【課題】  干し竿に干し物を掛けて干す際、干し物が重なる部分の隙間を広げて、風通しを良くすることができるようにし、また、使用方法によっては、干し物スペースを増やせるような干し方もできるようにする。【解決手段】  間隔設定部２ａの両端部に挟持部２ｂが形成される挟持ユニット２を向かい合わせ、各挟持部２ｂで物干し竿８を挟持した状態で結合することにより、二本の物干し竿８を所定間隔で連結できるようにする。このため、間隔設定部２ａにボルト３を通すことのできるボルト挿通孔５を設け、各挟持部２ｂに略半円弧状の凹部ｄを設け、この凹部ｄの曲率半径と物干し竿８の外径を概ね一致させる。【選択図】      図２
2006296537.tif 000002
【特許請求の範囲】
【請求項１】
所定長さの間隔設定部の両端に挟持部が形成される一対の挟持ユニットが結合自在にされ、前記各挟持部には、一対の挟持ユニットが結合された状態で物干し竿の外周を包み込むように保持するための凹部が形成されるとともに、前記間隔設定部には、各挟持ユニットを結合するための結合手段の少なくとも一部が設けられることを特徴とする物干し竿連結具。
【請求項２】
前記一対の挟持ユニットを結合する際、お互いの間隔設定部の少なくとも一部が当接し合うようにされ、この間隔設定部の当接面には、長さ方向に沿って突条部と凹条溝が二条形成されるとともに、結合時に一方側の突条部が他方側の凹条溝に嵌合するようにされることを特徴とする請求項１に記載の物干し竿連結具。
【発明の詳細な説明】
【技術分野】
【０００１】
本発明は、干し物を風通しの良い状態で且つ安定した姿勢で干すことができるようにし、また、場合によっては、物干し竿による物干しスペースを簡単に増やすことができるようにするための技術に関する。
【背景技術】
【０００２】
従来、布団等を物干し竿に干す際に、二つ折りになって重なる裏側部分の布団の隙間を広げて風通しを良くする技術として、Ｖ字型のＶ字竿に布団の固定器具を設け、このＶ字竿を補強棒で補強するとともに、二本のＶ字竿を連結竿で連結するような技術（例えば、特許文献１参照。）などが知られている。
一方、ベランダの棧やベランダの壁や窓枠などの様々な場所に取り付けることが可能な物干し竿の支持具に関する技術（例えば、特許文献２参照。）も知られており、このような支持具には、物干し竿を載せることのできるハンガー部が設けられている。
【特許文献１】実開平７−２４２９２号公報。
【特許文献２】特開２００３−１３５８９８号公報。
【発明の開示】
【発明が解決しようとする課題】
【０００３】
ところが、特許文献１のような技術は、例えば、Ｖ字竿を既存の物干し竿等に取り付けた場合、物干し具が大型化するとともに、Ｖ字竿を作製するのにコストがかかるという問題がある。また、布団等以外の干し物を干す装置として使用するときには物干しスペースが限定されるため、あまり好ましい形態ではない。
また、特許文献２のような技術は、物干し具等が全く設置されていない場所等において物干し竿を設置できるという利点はあるものの、干し物を物干し竿に掛けた場合、狭い隙間で重なる裏側部分の風通しを良くするという技術的課題を解決することはできず、また、すでに物干し竿が設置されているような場所において、物干しスペースを増やすという観点からは装置が大袈裟過ぎて適切ではない。
【０００４】
そこで本発明は、干し物を物干し竿に掛けた場合に、干し物が重なり合う裏側部分の隙間を広げて、風通しを良くすることができるようにし、また、干し方によっては、簡単に物干しスペースを増やすこともできるようにすることを目的とする。
【課題を解決するための手段】
【０００５】
上記目的を達成するため本発明は、所定長さの間隔設定部の両端に挟持部が形成される一対の挟持ユニットを結合自在にし、前記各挟持部には、一対の挟持ユニットが結合された状態で物干し竿の外周を包み込むように保持するための凹部を形成するとともに、前記間隔設定部には、各挟持ユニットを結合するための結合手段の少なくとも一部を設けるようにした。
【０００６】
そして、一対の挟持ユニットを向き合わせた状態にし、一方側の挟持部と他方側の挟持部によって二本の物干し竿を挟み込むように保持した後、結合手段を介して結合すれば、二本の物干し竿が所定の間隔で一体に連結される。このため、例えば一方側の物干し竿を物干し台等の竿受けで支持しておけば、他方側の物干し竿は、竿受けがなくても物干し用として使用することができるようになり、物干しスペースが広がる。なお、この際、竿受けのない物干し竿の下面を何らかの手段により支持しておくようにすれば、より安定した状態で使用することができる。そして、連結された二本の物干し竿を水平にし、干し物を両方の物干し竿の上部に被せるように掛けて干せば、間隔設定部により、重なり合う裏側部分の隙間が広くなり、風通しが良くなって効率良く乾かすことができる。しかも干し物が二本の物干し竿で支持されるようになり姿勢が安定する。
また、場合によっては、連結された二本の物干し竿を別々に使用し、それぞれの物干し竿に別個に干し物を掛けるようにすれば簡単に干し物の数を増やすことができる。
【０００７】
また本発明では、一対の挟持ユニットを結合する際、お互いの間隔設定部の少なくとも一部が当接し合うようにし、この間隔設定部の当接面には、長さ方向に沿って突条部と凹条溝を二条形成するとともに、結合時に一方側の突条部が他方側の凹条溝に嵌合するようにした。
このように間隔設定部の当接面に突条部と凹条溝を形成し、結合時にこれらを嵌合させることで、１ヶ所を結合するだけでお互いの挟持ユニットの相対位置がずれることなく、結合状態を安定させることができる。
【発明の効果】
【０００８】
物干し竿連結具によって二本の物干し竿を所定間隔で連結することにより、干し物を掛けて干す際に、狭い隙間で重なる部分の隙間を広げて効率良く干すことができ、また干し物の姿勢を安定させることができる。しかも、場合によっては干し物の数を増やすような干し方も可能となる。
この際、間隔設定部の当接面に形成した突条部と凹条溝を嵌合させて結合すれば、結合状態を安定させることができる。
【発明を実施するための最良の形態】
【０００９】
本発明の実施の形態について添付した図面に基づき説明する。
ここで、図１は本発明に係る物干し竿連結具の分解斜視図、図２は物干し竿連結具の結合状態を示す説明図、図３は図２のＡ−Ａ線断面図、図４は使用状態の一例を示す説明図、図５は図４の物干し竿に干し物を掛けた状態の説明図、図６は他の使用状態の説明図、図７は図６の物干し竿に干し物を掛けた状態の説明図である。
【００１０】
本発明に係る物干し竿連結具は、例えば既存の物干し竿の設備を利用し、干し物を掛けた場合に、隙間が狭く重なり合う裏側部分の隙間を簡単に広げて風通しを良くし、効率良く乾かすことができるようにされるとともに、場合によっては、干し物スペースを増やすような使い方も可能なようにされており、簡素で安価に構成できることを特徴としている。
【００１１】
すなわち、図１に示すように、本物干し竿連結具１は、結合、分解自在な一対の挟持ユニット２と、固定手段の一部としての結合用ボルト３、ナット４を備えており、各挟持ユニット２は、所定長さを有する平板状の間隔設定部２ａと、間隔設定部２ａの両端に形成される挟持部２ｂとから構成されている。
【００１２】
そして、間隔設定部２ａの中央部には、結合手段の他の一部としてのボルト挿通孔５が設けられており、前記ボルト３の軸部を挿通させることができるようにされている。すなわち、結合手段は、ボルト３、ナット４、ボルト挿通孔５から構成されている。そして、この結合手段によって一対の挟持ユニット２を向き合わせて結合すると、間隔設定部２ａの内側面同士が当接し合うようにされており、この当接面には、長さ方向に沿って突条部ｔと凹条溝ｍが平行に二条形成されている。そして、この突条部ｔと凹条溝ｍはお互いに嵌合可能にされている。
【００１３】
前記挟持部２ｂには、物干し竿８の外周の約半周を包み込むように保持することのできる略半円弧状の凹部ｄが設けられており、一対の挟持ユニット２を向き合わせた姿勢で結合すると、図２に示すように、物干し竿８の外周を挟持することのできる円形部が形成されるようにしている。
そして、このような挟持ユニット２の間隔設定部２ａと挟持部２ｂは、硬質樹脂素材によって一体に成形されている。
因みに、本実施例では、間隔設定部２ａの長さ（挟持部２ｂと挟持部２ｂの間隔）は１０ｃｍ程度であり、挟持部２ｂの半円弧状の凹部ｄの曲率半径は、物干し竿８の外径と略同一の２．５〜３．５ｃｍ程度にしている。
【００１４】
以上のような連結具１は極めて簡素な構成で安価に作製することができるが、干し物を効率良く乾かすことができ、また、使い方によっては干し物スペースを増やせるという点では極めて効果的である。
【００１５】
すなわち、その使用方法の一例を示すと、図４に示すように、既存の物干し台６の竿受け７で支持される物干し竿８を利用するようにし、一対の挟持ユニット２の一方側の挟持部２ｂでこの物干し竿８を挟み込むようにし、他方側の挟持部２ｂで新たな他の物干し竿８を挟み込んでボルト３、ナット４で固定する。この際、図３に示すように、一方側の間隔設定部２ａの突条部ｔを他方側の間隔設定部２ａの凹条溝ｍに嵌合させて結合すれば、ボルト３等による結合箇所が１ヶ所だけでも結合姿勢がずれることなく、安定した状態で固定できる。
また、本実施例では、挟持部２ｂによって物干し竿８を挟持した際、図２に示すように、お互いの挟持部２ｂの端部同士間に隙間ｓが形成されるようにすることで、確実に物干し竿８を把持した状態で固定できるようにしている。そして、このような連結具１を例えば二組使用し、物干し竿８の両端部付近の二ヶ所を連結すると、二本の物干し竿８は、間隔設定部２ａの長さと同じ間隔で平行に固定されることになり、例えば、竿受け７で支持されていない物干し竿８を直接物干し台６上に載置しても動いたり移動したりすることはない。
【００１６】
そして、このような平行な二本の物干し竿８に干し物Ｈを干すときは、図５に示すように、両方の物干し竿８上に被せるように干し物Ｈを掛けると、物干し竿８から垂れ下がる干し物Ｈの裏側重なり部分の隙間が広がって風通しがよくなり、効率良く干すことができる。従って、例えば濡れたバスタオルやシーツ等でも効率良く乾くようになる。
【００１７】
また、例えばシャツや下着のように比較的小さな干し物が沢山ある場合、それぞれの物干し竿を別個に使用して干すような使い方も可能である。この場合は、沢山の干し物を同時に乾かすことができるため便利である。
【００１８】
次に、物干し竿連結具１を使用した他の連結方法について図６に基づき説明する。
図６では、３つの物干し竿連結具１を使用して三本の物干し竿８を三角形状に組んだものであり、この場合は、いずれか一本の物干し竿８を竿受け７に入れておけば、他の二本は竿受け７がなくても物干し用として使用することができる。そして、このような３つの連結具１による連結箇所を、例えば物干し竿８の両端部付近の二ヶ所としておけば、図７に示すような態様で干し物Ｈを干すことができ、この場合も、物干し竿８から垂れ下がる干し物Ｈの重なり部分の隙間が広がるため、風通しがよくなり、効率良く乾かすことができる。また干し物Ｈの姿勢も安定する。なお、この形態は、三本の物干し竿８の連結によって剛性が確保されるため、例えば布団やじゅうたんのように、比較的重量がある干し物Ｈに適している。
【００１９】
以上のような要領により、本発明に係る物干し竿連結具１は、特に、既存の物干し竿８が使用可能状態で準備されている場合には、これに他の物干し竿８を連結するだけで効果を発揮し、しかも連結方法は極めて簡単であるため便利である。
しかも、このような連結具１は樹脂によって安価に作製することができる。
【００２０】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、間隔設定部２ａの形状や、挟持部２ｂの形状等は例示であり、また、本連結具１による物干し竿８の連結箇所や連結数等は任意である。また、挟持部２ｂの凹部ｄの形状等も任意である。
更に、固定手段としては、ボルト３やナット４等以外の構成であっても良い。
【産業上の利用可能性】
【００２１】
二本の物干し竿を連結具で連結することにより、干し物を干す際に狭い隙間で重なる裏側部分の隙間を広げることができ、風通しを良くして効率良く乾かすことができる。また、干し物の数が多いようなときは、沢山の干し物を掛けて干すような使い方も可能である。
【図面の簡単な説明】
【００２２】
【図１】本発明に係る物干し竿連結具の分解斜視図
【図２】物干し竿連結具の結合状態を示す説明図
【図３】図２のＡ−Ａ線断面図
【図４】使用状態の一例を示す説明図
【図５】図４の物干し竿に干し物を掛けた状態の説明図
【図６】他の使用状態の説明図
【図７】図６の物干し竿に干し物を掛けた状態の説明図
【符号の説明】
【００２３】
１…物干し竿連結具、２…挟持ユニット、２ａ…間隔設定部、２ｂ…挟持部、３…ボルト、４…ナット、５…ボルト挿通孔、７…竿受け、８…物干し竿、ｄ…凹部、ｔ…突条部、ｍ…凹条溝、Ｈ…干し物。
【図１】
2006296537.tif 000003
【図２】
2006296537.tif 000004
【図３】
2006296537.tif 000005
【図４】
2006296537.tif 000006
【図５】
2006296537.tif 000007
【図６】
2006296537.tif 000008
【図７】
2006296537.tif 000009